(57)【要約】  【課題】  表示部の表示内容に対応するボタン操作部を開閉蓋で操作可能に開閉できるようにし、操作したいボタン操作部を戸惑うことなく容易に、且つ正確に操作できるようにして、操作性を向上できるようにした被制御機器の制御に用いられるリモコン装置を提供する。  【解決手段】  複数の表示ブロック1a〜1bからなる表示部と、前記複数の表示ブロック1a〜1bに夫々対応する複数のボタンブロック2a〜2bからなるボタン操作部とを備えた本体３と、同本体３に設けられ、少なくとも一つの前記ボタンブロック2aをカバーし、且つ操作可能な状態に開放する透過性を有する開閉カバー４とからなる構成にした。【選択図】  図１
2005079785.tif 000002
【特許請求の範囲】
【請求項１】
複数の表示ブロックからなる表示部と、前記複数の表示ブロックに夫々対応する複数のボタンブロックからなるボタン操作部とを備えた本体と、同本体に設けられ、少なくとも一つの前記ボタンブロックをカバーし、且つ操作可能な状態に開放する開閉蓋とからなることを特徴とするリモコン装置。
【請求項２】
前記開閉蓋が、一側のヒンジ部により前記ボタンブロックを開閉すると共に、開閉時に他側を接離させることにより、前記本体に設けられた前記表示ブロック用のバックライトスイッチをＯＮ／ＯＦＦする開閉カバーからなり、
少なくとも一つの前記ボタンブロックを操作可能に開放した際、同ボタンブロックに対応する前記表示ブロックにバックライトを点灯させるようにしてなることを特徴とする請求項１に記載のリモコン装置。
【請求項３】
前記開閉蓋が、前記表示ブロックに対応する少なくとも一つの表示窓と、前記ボタンブロックに対応する少なくとも一つの操作窓とを備え、前記本体にスライド自在に設けられたスライドカバーからなり、
前記表示窓が、少なくとも一つの前記表示ブロックに位置合わせされた際、前記操作窓が、同表示ブロックに対応する前記ボタンブロックに位置合わせされるようにしてなることを特徴とする請求項１に記載のリモコン装置。
【請求項４】
前記スライドカバーに、位置合わせされた以外の前記表示ブロックおよび、または前記ボタンブロックを隠す隠し窓が設けられてなることを特徴とする請求項３に記載のリモコン装置。
【請求項５】
前記スライドカバーが、前記本体の長手方向にスライドし、前記複数の表示ブロックおよび前記複数のボタンブロックに対応して複数箇所で位置決めされるようにしてなることを特徴とする請求項３に記載のリモコン装置。
【請求項６】
前記スライドカバーが、前記操作窓に臨ませた前記ボタンブロックを除く前記本体の一面全域をカバーするように構成されてなることを特徴とする請求項３または請求項５に記載のリモコン装置。
【請求項７】
前記開閉蓋が、前記本体にスライド自在に設けられ、前記ボタンブロックを開閉すると共に、前記本体に設けられた前記表示ブロック用のバックライトスイッチをＯＮ／ＯＦＦするスライド板からなり、
少なくとも一つの前記ボタンブロックを操作可能に開放した際、同ボタンブロックに対応する前記表示ブロックにバックライトを点灯させるようにしてなることを特徴とする請求項１に記載のリモコン装置。
【請求項８】
前記スライド板が、前記本体の長手方向にスライドし、前記複数のボタンブロックに対応して複数箇所で位置決めされるようにしてなることを特徴とする請求項７に記載のリモコン装置。
【発明の詳細な説明】
【技術分野】
【０００１】
本発明は、被制御機器の制御に用いられるリモコン装置に係わり、より詳細には、表示部の表示内容に対応するボタン操作部を開閉蓋で操作可能に開閉できるようにし、操作したいボタン操作部を戸惑うことなく容易に、且つ正確に操作できるようにして操作性を向上できるようにした構造に関する。
【背景技術】
【０００２】
従来の被制御機器の制御に用いられるリモコン装置（送信器）には、例えば操作性を低下させることなくケースとボタン（キー）の隙間のゴミの付着を防止するものとして、リモコン送信器の本体となる本体ケースには、複数の操作ボタン（キー）が一面の所定部分に設けられ、スライドカバーは、スライドすることにより、本体ケースの操作ボタン（キー）が設けられた所定部分を開閉させるようになっており、スライドカバーの内側には突起部が設けられる一方、ラバーキーには、複数の操作ボタン（キー）と電源ボタン（キー）が立設され、突起部、電源ボタン（キー）と本体ケース内に設けられた回路部は、スライドカバーを開くことにより電源オンのリモコン信号を送信し、前記スライドカバーを閉じることにより電源オフのリモコン信号を送信するリモコン信号送信手段を構成してなるものが開示されていた（例えば、特許文献１参照。）。
【０００３】
しかしながら、上記構成でなるリモコン装置（送信器）においては、普段使わないときはスライドカバーを閉じることにより、ホコリが操作ボタン（キー）の隙間に侵入するのを防ぐことができる反面、複数の操作ボタン（キー）を操作するときは、複数の操作ボタン（キー）をすべて表に出して使わなければならず、結局、操作ボタン（キー）の数が多いほど、操作するときにユーザが、どの操作ボタン（キー）を押せば良いのか戸惑ってしまうことになって操作性が悪いという問題点を有していた。
【特許文献１】特開平１０−１９１４７６号公報（第１頁〜第６頁、第１図〜第１２図）
【発明の開示】
【発明が解決しようとする課題】
【０００４】
本発明は上記の問題点に鑑み、表示部の表示内容に対応するボタン操作部を開閉蓋で操作可能に開閉できるようにし、操作したいボタン操作部を戸惑うことなく容易に、且つ正確に操作できるようにして、操作性を向上できるようにした被制御機器の制御に用いられるリモコン装置を提供することを目的とする。
【課題を解決するための手段】
【０００５】
本発明は、上記課題を解決するため、複数の表示ブロックからなる表示部と、前記複数の表示ブロックに夫々対応する複数のボタンブロックからなるボタン操作部とを備えた本体と、同本体に設けられ、少なくとも一つの前記ボタンブロックをカバーし、且つ操作可能な状態に開放する開閉蓋とからなる構成となっている。
【０００６】
また、前記開閉蓋が、一側のヒンジ部により前記ボタンブロックを開閉すると共に、開閉時に他側を接離させることにより、前記本体に設けられた前記表示ブロック用のバックライトスイッチをＯＮ／ＯＦＦする開閉カバーからなり、
少なくとも一つの前記ボタンブロックを操作可能に開放した際、同ボタンブロックに対応する前記表示ブロックにバックライトを点灯させるようにしてなる構成となっている。
【０００７】
また、前記開閉蓋が、前記表示ブロックに対応する少なくとも一つの表示窓と、前記ボタンブロックに対応する少なくとも一つの操作窓とを備え、前記本体にスライド自在に設けられたスライドカバーからなり、
前記表示窓が、少なくとも一つの前記表示ブロックに位置合わせされた際、前記操作窓が、同表示ブロックに対応する前記ボタンブロックに位置合わせされるようにしてなる構成となっている。
【０００８】
また、前記スライドカバーに、位置合わせされた以外の前記表示ブロックおよび、または前記ボタンブロックを隠す隠し窓が設けられてなる構成となっている。
【０００９】
また、前記スライドカバーが、前記本体の長手方向にスライドし、前記複数の表示ブロックおよび前記複数のボタンブロックに対応して複数箇所で位置決めされるようにしてなる構成となっている。
【００１０】
また、前記スライドカバーが、前記操作窓に臨ませた前記ボタンブロックを除く前記本体の一面全域をカバーするように構成されている。
【００１１】
また、前記開閉蓋が、前記本体にスライド自在に設けられ、前記ボタンブロックを開閉すると共に、前記本体に設けられた前記表示ブロック用のバックライトスイッチをＯＮ／ＯＦＦするスライド板からなり、
少なくとも一つの前記ボタンブロックを操作可能に開放した際、同ボタンブロックに対応する前記表示ブロックにバックライトを点灯させるようにしてなる構成となっている。
【００１２】
更に、前記スライド板が、前記本体の長手方向にスライドし、前記複数のボタンブロックに対応して複数箇所で位置決めされるようにしてなる構成となっている。
【発明の効果】
【００１３】
本発明によれば、開閉カバーを開いて少なくとも一つの前記ボタンブロックを操作可能に開放した際、同ボタンブロックに対応する前記表示ブロックにバックライトを点灯させるようにしたので、または、スライドカバーの表示窓が、リモコン本体に設けられた表示部の表示内容を視認できるように位置合わせされた際、スライドカバーの操作窓が、表示部の表示内容に対応する本体のボタン操作部に位置合わせされるようにしたので、もしくは、スライド板をスライドさせて少なくとも一つの前記ボタンブロックを操作可能に開放した際、同ボタンブロックに対応する前記表示ブロックにバックライトを点灯させるようにしたので、必要な表示内容を視認しながら操作したいボタン操作部を戸惑うことなく容易に、且つ正確に操作できるようになり、操作性を向上できるようにした被制御機器の制御に用いられるリモコン装置となる。
【発明を実施するための最良の形態】
【００１４】
以下、本発明の実施の形態を、添付図面に基づいた実施例として詳細に説明する。
【００１５】
図１は本発明によるリモコン装置の実施例１の一例を示す説明図、図２は本発明によるリモコン装置の実施例１の二例を示す説明図、図３は本発明によるリモコン装置の実施例１の三例を示す説明図、図４は本発明によるリモコン装置の実施例２の一例を示す説明図で、（Ａ）は外観図、（Ｂ）はスライドカバーの側面図、図５は本発明によるリモコン装置の実施例２の二例を示す説明図、図６は本発明によるリモコン装置の実施例２の三例を示す説明図、図７は本発明によるリモコン装置の実施例２の四例を示す説明図、図８は本発明によるリモコン装置の実施例３の一例を示す説明図で、（Ａ）は外観図、（Ｂ）はスライドカバーの側面図、図９は本発明によるリモコン装置の実施例３の二例を示す説明図、図１０は本発明によるリモコン装置の実施例３の三例を示す説明図、図１１は本発明によるリモコン装置の実施例４の一例を示す説明図、図１２は本発明によるリモコン装置の実施例４の二例を示す説明図、図１３は本発明によるリモコン装置の実施例４の三例を示す説明図で、図１４は本発明によるリモコン装置の実施例４の四例を示す説明図である。
【００１６】
本発明によるリモコン装置は、図で示すように、リモコン本体３一面の所定部分に、表示Ａブロック1a、表示Ｂブロック1bおよび表示Ｃブロック1cからなる液晶表示部１（以下表示部１という）、前記表示部１に夫々対応するボタンＡブロック2a、ボタンＢブロック2bおよびボタンＣブロック2cからなるボタン操作部２とが夫々設けられている。
【００１７】
前記本体３には、少なくとも一つの前記ボタンブロック（例えば前記ボタンＡブロック2a）をカバーすることによって該箇所にホコリが侵入しないようにし、且つ、同ボタンブロックを操作可能な状態に開閉するための開閉蓋が設けられた構成になっている。
【００１８】
これにより、前記表示部１の表示内容を視認しながら、操作したい前記ボタンブロックのみ操作可能に開放できるようになっているので、上記背景技術における問題点として記述されているように、操作ボタン（キー）の数が多いため、どの操作ボタン（キー）を押せば良いのか戸惑ってしまうことになって、操作性が悪くなってしまうということがなくなる。
【実施例１】
【００１９】
ここで、図１乃至図３に基づいて、実施例１について説明する。
【００２０】
前記本体３の一面には、図で示すように前記表示Ａブロック1a、前記表示Ｂブロック1bおよび前記表示Ｃブロック1cからなる表示部１が容易に視認できるよう順に配置されると共に、同表示部１の配置に対応して前記ボタンＡブロック2a、前記ボタンＢブロック2bおよび前記ボタンＣブロック2cからなるボタン操作部２が順に配置されている。
【００２１】
前記開閉蓋は、一例として図１で示すように、一側がヒンジ部4aにより前記ボタンＡブロック2aを開閉できるように支持され、他側に前記本体３の係止部（図示せず）に係脱可能に係止する係止爪4bを備えた開閉カバー４からなる構成になっており、開閉時には、前記本体３に設けられた前記表示Ａブロック1a用のバックライトスイッチ５を、前記開閉カバー４の他側を接離させることによりＯＮ／ＯＦＦできるようになっている。
【００２２】
これにより、前記開閉カバー４を開いて前記ボタンＡブロック2aを開放した際、前記表示Ａブロック1aは前記バックライトスイッチ５がＯＮになって点灯され、操作したい前記ボタンＡブロック2aに対応する表示内容を戸惑いなく視認できる。
【００２３】
同様に、二例として図２で示すように、前記開閉カバー４を開いて前記ボタンＢブロック2bを開放した際、前記表示Ｂブロック1bは前記バックライトスイッチ５がＯＮになって点灯され、操作したい前記ボタンＢブロック2bに対応する表示内容を戸惑いなく視認できる。
【００２４】
また同様に、三例として図３で示すように、前記開閉カバー４を開いて前記ボタンＣブロック2cを開放した際、前記表示Ｃブロック1cは前記バックライトスイッチ５がＯＮになって点灯され、操作したい前記ボタンＣブロック2cに対応する表示内容を戸惑いなく視認できる。
【００２５】
なお、前記開閉カバー４は、透過性を有する部材からなる構成となっているので、同開閉カバー４を閉じた状態でも前記ボタンＡブロック2a〜前記ボタンＣブロック2cを視認できるようになっているので、操作したいボタンブロックを選定して前記開閉カバー４を開放するのに便利である。
【実施例２】
【００２６】
次に、図４乃至図７に基づいて、実施例２について説明する。
【００２７】
前記リモコン本体３には、図で示すように前記表示Ａブロック1a、前記表示Ｂブロック1bおよび前記表示Ｃブロック1cに対応する透明な表示窓６と、前記ボタンＡブロック2a、前記ボタンＢブロック2bおよび前記ボタンＣブロック2cに対応する穴状の操作窓７とを備え、前記本体３の長手方向にスライドすることにより、同本体３に設けられた前記表示部１と、前記ボタン操作部２とが設けられた所定部分をスライド自在に開閉させるスライドカバー８が設けられている。
【００２８】
前記スライドカバー８は、実施例２の一例として図４（Ａ）および図４（Ｂ）で示すように、前記本体３一面の全域を覆ってゴミの侵入を防止できるようにしたり、効果的に保護できるように構成されると共に、前記本体３の両側部に設けられたガイド溝に沿って、同本体３の長手方向にスライドできるように構成されている。
【００２９】
また、前記スライドカバー８を前記本体３の長手方向にスライドして、視認しようとする前記液晶表示部１の所定箇所に前記表示窓６を合わせて順次位置決めし、同液晶表示部１に対応する前記ボタン操作部２に前記操作窓７を位置合わせすることにより順次操作できるようになっている。
【００３０】
前記スライドカバー８をスライドさせることにより、例えば前記表示窓６が前記表示Ａブロック1aに位置合わせされた際、前記操作窓７が、同表示Ａブロック1aに対応する前記ボタンＡブロック2aに位置合わせされるようになっており、これによって、前記表示Ａブロック1aの表示内容を視認しながら、同表示内容に関連した前記ボタンＡブロック2aが操作可能な状態になることから、ユーザは、操作したいリモコンの操作ボタンを容易に視認できるので、どの操作ボタンを押せば良いのか戸惑ってしまうということがなくなる。
【００３１】
なお、例えば図５で示すように、前記表示窓６が前記表示Ａブロック1aに位置合わせされた場合、同表示Ａブロック1a以外の表示ブロック1bおよび1cや、前記ボタンＡブロック2a以外のボタンブロック2bおよび2cは、半透明な部材からなる隠し窓９によって隠されるようになっている。
【００３２】
これらにより、どの操作ボタンを押せば良いのか戸惑ってしまうということがなくなって操作性を向上できるようになり、また、半透明な前記隠し窓９を通して、現在使われていない表示ブロックやボタンブロックを視認することも可能であるため、どういった表示内容や、どの操作ボタンが何処に隠されているかを知ることができるので便利である。
【００３３】
そして、図４（Ａ）で示すように、前記スライドカバー８によって、一部の表示ブロックやボタンブロックを前記表示窓６を通して夫々視認できると共に、前記操作窓７に臨ませた前記ボタンブロックを除く前記本体３一面の全域を覆うことができるようになっているので、とくに操作ボタンの隙間を含む全域にホコリが付着しないよう効果的に防止することができる。
【００３４】
また、前記スライドカバー８は、実施例２の二例として図５で示す矢印Ａのように、前記本体３の前方に向けてスライドさせることにより、例えば前記表示窓６に前記表示Ａブロック1aを合わせて位置決めし、表示内容を視認できるようにすると共に、前記操作窓７に前記ボタンＡブロック2aを位置合わせして、前記表示Ａブロック1aの表示内容に対応する操作ボタンを操作できるようにしている。
【００３５】
すなわち、前記ボタンＡブロック2aの「運転／停止」の操作ボタンや「＋／−」の操作ボタン等を操作可能にして希望する室温（現状は２４℃に設定されている）に設定できるようにし、また、「運転切換」の操作ボタンを操作可能にして自動・冷房・暖房・送風に切換えできるようにし、「ダッシュ」および「省パワー」等の操作ボタンを操作可能にして何れかに設定できると共に、これらの表示内容を前記表示窓６を通して容易に視認できる。その際、前記ボタンＢブロック2bおよび前記ボタンＣブロック2cと、前記表示Ｂブロック1bおよび前記表示Ｃブロック1cとは前記隠し窓９によって隠されている。
【００３６】
また、前記スライドカバー８は、実施例２の三例として図６で示す矢印Ａのように、図５で示す位置から更に矢印Ａで示す前記本体３の前方に向けてスライドさせ、前記操作窓７に合わせて位置決めした前記ボタンＢブロック2bの「風量切換」、「除湿」、「ＵＶ空気清浄」等の操作ボタンを操作可能にし、これらに対応する前記表示Ｂブロック1bの表示内容を前記表示窓６を通して視認できるようにしている。その際、前記ボタンＡブロック2aは前記スライドカバー８の一部で隠され、前記ボタンＣブロック2c、前記表示Ａブロック1aおよび前記表示Ｃブロック1cは前記隠し窓９によって隠されている。
【００３７】
また、前記スライドカバー８は、実施例２の四例として図７で示す矢印Ａのように、図６で示す位置から更に矢印Ａで示す前記本体３の前方に向けてスライドさせ、前記操作窓７に合わせて位置決めした前記ボタンＣブロック2cの「予約」、「取消」等の操作ボタンを操作可能にし、これらに対応する前記表示Ｃブロック1cの表示内容を前記表示窓６から視認できるようにしている。その際、前記ボタンＡブロック2aおよび前記ボタンＢブロック2bは前記スライドカバー８の一部で隠され、前記表示Ａブロック1aおよび前記表示Ｃブロック1cは前記隠し窓９によって隠されている。
【実施例３】
【００３８】
次に、図８乃至図１０に基づいて、実施例３について説明する。
【００３９】
前記リモコン本体３には、図で示すように前記表示Ａブロック1a、前記表示Ｂブロック1bおよび前記表示Ｃブロック1cが順不同で配設されると共に、前記ボタンＡブロック2a、前記ボタンＢブロック2bおよび前記ボタンＣブロック2cが順不同で配設されている。
【００４０】
前記スライドカバー８は、実施例３の一例として図８（Ａ）および図８（Ｂ）で示すように、前記本体３の一面全域をカバーする中間位置に位置決めして、例えば前記ボタンＡブロック2aの「運転／停止」、「温度」等の操作ボタンを前記操作窓７を通して操作可能にし、これらに対応する前記表示Ａブロック1aの表示内容を前記表示窓６から視認できるようにしている。その際、前記表示Ｂブロック1bおよび前記表示Ｃブロック1cも表示窓６から視認できるようになっており、前記ボタンＢブロック2bおよび前記ボタンＣブロック2cは前記隠し窓９によって隠されている。
【００４１】
また、前記スライドカバー８は、実施例３の二例として図９で示す矢印Ａのように、前記本体３の前方に向けスライドさせて位置決めし、前記操作窓７に合わせて位置決めした前記ボタンＢブロック2bの「風量切換」、「除湿」等の操作ボタンを操作可能にして、これらに対応する前記表示Ｂブロック1bの表示内容を前記表示窓６から視認できるようにしている。その際、前記表示Ａブロック1aおよび前記表示Ｃブロック1cは前記隠し窓９によって隠され、前記ボタンＡブロック2aは前記スライドカバー８の一部によって隠されている。
【００４２】
また、前記スライドカバー８は、実施例３の三例として図１０で示す矢印Ｂのように、前記本体３の後方に向けスライドさせて位置決めし、前記ボタンＣブロック2cの「タイマー」、「予約」等の操作ボタンを操作可能にして、これらに対応する前記表示Ｃブロック1cの表示内容を前記表示窓６から視認できるようにしている。その際、前記表示Ａブロック1aおよび前記表示Ｂブロック1bは前記隠し窓９によって隠されると共に、前記ボタンＡブロック2aも前記隠し窓９によって隠されている。
【００４３】
なお、上記に説明した実施例２および実施例３においては、前記本体３内の任意の場所にＯＮ／ＯＦＦスイッチを設け、前記スライドカバー８をスライドさせることによって電源オンのリモコン信号を送信し、前記スライドカバー８を戻すことによって電源オフのリモコン信号を送信することにより、例えば空気調和機のような制御機器本体のＯＮ／ＯＦＦを行なえるようにしてもよい。
【実施例４】
【００４４】
次に、図１１乃至図１３に基づいて、実施例４について説明する。
【００４５】
前記本体３の一面には、図で示すように前記表示Ａブロック1a、前記表示Ｂブロック1bおよび前記表示Ｃブロック1cが順に配置されると共に、これらに対応して、前記ボタンＡブロック2a、前記ボタンＢブロック2bおよび前記ボタンＣブロック2cが順に配置されている。
【００４６】
また、前記本体３の一面に、同本体３の長手方向にスライドすることにより、前記ボタンＡブロック2a、前記ボタンＢブロック2bおよび前記ボタンＣブロック2cが設けられた所定部分をスライド自在に開閉させるスライド板10が設けられている。
【００４７】
前記スライド板10は、実施例４の一例として図１１で示すように、前記ボタンＡブロック2a、前記ボタンＢブロック2bおよび前記ボタンＣブロック2cの全域を覆ってゴミの侵入を防止できるようにしたり、効果的に保護できるように構成されると共に、前記本体３の両側部に設けられたガイド溝に沿って、同本体３の長手方向にスライドできるように構成されている。
【００４８】
また、前記スライド板10を前記本体３の長手方向にスライドして、操作したい前記ボタンブロックを開放した状態で順次位置決めできるようになっている。
【００４９】
なお、前記スライド板10は透過性を有する部材からなる構成になっているので、前記スライド板10を開放しなくても、操作したい前記ボタンブロックを視認できるようになっている。
【００５０】
また、前記スライド板10は、実施例４の二例として図１２で示す矢印ａのようにスライドさせることにより、前記ボタンＡブロック2aを開放して操作可能にすると共に、前記表示Ａブロック1aは、前記スライド板10のスライドにより前記本体３に設けられたバックライトスイッチ５がＯＮになって点灯され、操作したい前記ボタンＡブロック2aに対応する表示内容を戸惑いなく視認できる。
【００５１】
前記ボタンＡブロック2aには、操作する回数が比較的に多い操作ボタンが配置されるようになっており、例えば「運転／停止」の操作ボタンや「＋／−」の操作ボタン等を操作可能にして希望する室温（現状は２４℃に設定されている）に設定できるようにし、また、「運転切換」の操作ボタンを操作可能にして自動・冷房・暖房・送風に切換えできるようにし、「ダッシュ」および「省パワー」等の操作ボタンを操作可能にして何れかに設定できると共に、これらの表示内容は前記表示Ａブロック1aにより容易に視認できる。その際、前記ボタンＢブロック2bおよび前記ボタンＣブロック2cは前記スライド板10の一部によって隠されている。
【００５２】
同様に、前記スライド板10は、実施例４の三例として図１３で示す矢印ｂのように図１２で示す位置から更にスライドさせることにより、前記ボタンＡブロック2aと共に前記ボタンＢブロック2bを開放して操作可能にし、前記表示Ｂブロック1bは、前記スライド板10のスライドにより前記本体３に設けられたバックライトスイッチ５がＯＮになって、前記表示Ａブロック1aと共に点灯されることになる。
【００５３】
前記ボタンＢブロック2bには、例えば「風量切換」、「除湿」、「ＵＶ空気清浄」等の操作ボタンを操作可能にできると共に、これらに対応する表示内容は前記表示Ｂブロック1bにより容易に視認できる。その際、前記ボタンＣブロック2cは前記スライド板10の一部によって隠されている。
【００５４】
また同様に、前記スライド板10は、実施例４の四例として図１４で示す矢印ｃのように図１３で示す位置から更にスライドさせることにより、前記ボタンＡブロック2aおよび前記ボタンＢブロック2bと共に前記ボタンＣブロック2cを開放して操作可能にし、前記表示Ｃブロック1cは、前記スライド板10のスライドにより前記本体３に設けられたバックライトスイッチ５がＯＮになって、前記表示Ａブロック1aおよび前記表示Ｂブロック1bと共に点灯されることになる。
【００５５】
前記ボタンＣブロック2cには、例えば「時間」、「予約」、「取消」等の操作ボタンを操作可能にし、これらに対応する表示内容は前記表示Ｃブロック1bにより容易に視認できる。
【００５６】
以上のように、前記本体３に、同本体３の一面に設けられた前記ボタンブロックをカバーし、且つ操作可能な状態に開放する開放蓋を設けたことにより、また、前記本体３に設けられた表示部１とボタン操作部２とを位置合わせできるようにしたことにより、必要な表示内容を視認しながら操作したい前記ボタン操作部２を容易に、且つ正確に操作できるようになる。
【図面の簡単な説明】
【００５７】
【図１】本発明によるリモコン装置の実施例１の一例を示す説明図である。
【図２】本発明によるリモコン装置の実施例１の二例を示す説明図である。
【図３】本発明によるリモコン装置の実施例１の三例を示す説明図である。
【図４】本発明によるリモコン装置の実施例２の一例を示す説明図で、（Ａ）は外観図であり、（Ｂ）はスライドカバーの側面図である。
【図５】本発明によるリモコン装置の実施例２の二例を示す説明図である。
【図６】本発明によるリモコン装置の実施例２の三例を示す説明図である。
【図７】本発明によるリモコン装置の実施例２の四例を示す説明図である。
【図８】本発明によるリモコン装置の実施例３の一例を示す説明図で、（Ａ）は外観図であり、（Ｂ）はスライドカバーの側面図である。
【図９】本発明によるリモコン装置の実施例３の二例を示す説明図である。
【図１０】本発明によるリモコン装置の実施例３の三例を示す説明図である。
【図１１】本発明によるリモコン装置の実施例４の一例を示す説明図である。
【図１２】本発明によるリモコン装置の実施例４の二例を示す説明図である。
【図１３】本発明によるリモコン装置の実施例４の三例を示す説明図である。
【図１４】本発明によるリモコン装置の実施例４の四例を示す説明図である。
【符号の説明】
【００５８】
１  表示部
1a  表示Ａブロック
1b  表示Ｂブロック
1c  表示Ｃブロック
２  ボタン操作部
2a  ボタンＡブロック
2b  ボタンＢブロック
2c  ボタンＣブロック
３  本体
４  開閉カバー
4a  ヒンジ部
4b  係止爪
５  バックライトスイッチ
６  表示窓
７  操作窓
８  スライドカバー
９  隠し窓
10  スライド板
【図１】
2005079785.tif 000003
【図２】
2005079785.tif 000004
【図３】
2005079785.tif 000005
【図４】
2005079785.tif 000006
【図５】
2005079785.tif 000007
【図６】
2005079785.tif 000008
【図７】
2005079785.tif 000009
【図８】
2005079785.tif 000010
【図９】
2005079785.tif 000011
【図１０】
2005079785.tif 000012
【図１１】
2005079785.tif 000013
【図１２】
2005079785.tif 000014
【図１３】
2005079785.tif 000015
【図１４】
2005079785.tif 000016